(57)【要約】【課題】アダプタ装置を用いて水栓をカウンターに取り付けるようになした水栓の取付構造において、カウンターを上下から挟み込むアダプタ本体とホルダーとが、それらをねじ締結する雄ねじ部材周りに相対変位することによって水栓が回転方向にがたつきを生じるのを防止する。またアダプタ装置の取付作業性を良好なものとする。【解決手段】アダプタ装置２８に単一の略半円形状をなすホルダ３２を１つだけ設け、そのホルダ３２を周方向両端部近傍において２本の雄ねじ部材３４，３６にてアダプタ本体３０とねじ締結するようになす。また雄ねじ部材３４の回転によってホルダ２８を共回りさせる共回手段（ロックナット）６８を設ける。更にホルダ３２には雄ねじ部材３４と一体回転する際に雌ねじ孔６４を他方の雄ねじ部材３６に対向させる位置に位置決めする位置決手段（弾性クリップ）６６を設けておく。【選択図】        図４
2006132318.tif 000002
【特許請求の範囲】
【請求項１】
（イ）物品を取り付けるべき取付基体の取付面上に配置されるアダプタ本体と、（ロ）該取付基体の取付穴に該取付面側から挿通された上、該取付基体の裏面に重なるように配置され、該アダプタ本体と協働して該取付基体を表裏両側から挾み込むホルダと、（ハ）該取付穴を挿通して該アダプタ本体とホルダとをねじ締結し、それらアダプタ本体及びホルダによる該取付基体の締付力を与える雄ねじ部材と、を含むアダプタ装置を該取付基体に装着し、該アダプタ本体に対して前記物品を連結固定することで前記取付面上に該物品を取り付けるようになした物品の取付構造において
単一の前記ホルダを少なくとも２本の前記雄ねじ部材にて前記アダプタ本体とねじ締結するように成すとともに、１本の該雄ねじ部材と該ホルダに設けてある雌ねじ孔とを螺合した状態で該雄ねじ部材に加えられる回転操作力を該ホルダに伝えて強制的に該ホルダを、該ホルダに設けてある他の雌ねじ孔が他の該雄ねじ部材に対して軸方向に対向した螺合位置まで該雄ねじ部材と一体回転させる共回り手段、及び該一体回転の際に該ホルダの前記他の雌ねじ孔を前記他の雄ねじ部材に対向する位置に位置決めする位置決手段を設けたことを特徴とする物品の取付構造。
【請求項２】
請求項１において、前記物品がカウンター等の前記取付基体に設置される水栓であることを特徴とする物品の取付構造。
【請求項３】
請求項１，２の何れかにおいて、前記ホルダを、前記取付穴の周縁に沿って互いに離隔した少なくとも２個所で前記雄ねじ部材により前記アダプタ本体とねじ締結するようになしたことを特徴とする物品の取付構造。
【請求項４】
請求項１〜３の何れかにおいて、前記ホルダが前記取付穴の周縁に沿って延びる、該取付穴に対応した湾曲形状をなしていることを特徴とする物品の取付構造。
【請求項５】
請求項４において、前記ホルダの周方向長が前記取付穴の半周分以上の長さとなしてあることを特徴とする物品の取付構造。
【請求項６】
請求項４，５の何れかにおいて、前記ホルダを、周方向の中央位置より一方の周端側と他方の周端側とでそれぞれ前記雄ねじ部材により前記アダプタ本体とねじ締結するようになしたことを特徴とする物品の取付構造。
【請求項７】
請求項６において、前記ホルダには周方向の中央位置より一方の周端側の個所と他方の周端側の個所とに前記取付穴側に突出する突出部を設けて、それら突出部を前記雄ねじ部材により前記アダプタ本体にねじ締結するようになしたことを特徴とする物品の取付構造。
【発明の詳細な説明】
【技術分野】
【０００１】
この発明は水栓等の物品をカウンター等の取付基体に取り付けるための取付構造に関し、詳しくはアダプタ装置を用いて水栓等物品を取付面の側から取付基体に取付・固定するためのものに関する。
【背景技術】
【０００２】
所定の物品、例えば水栓をその取付基体の取付面、例えばカウンターの上面に取り付けるための取付構造として、従来図２１に示す取付構造が採用されていた。
この取付構造は、水栓２００に設けた雄ねじ管２０２を、カウンター２０４に形成した水栓の取付穴２０６に対して取付面、即ち上面側から挿通した上、カウンター２０４の裏面側から固定ナット２０８を雄ねじ管２０２にねじ込んで水栓２００の取付けを行うといったものである。
【０００３】
しかしながらこの取付構造の場合、カウンター２０４の裏面側から固定ナット２０８の嵌込及び締付作業を行わなければならず、そのため水栓２００の取付作業性が悪く、その取付施工のために多大な手間がかかる問題があった。
【０００４】
その解決手段として、アダプタ装置をカウンターに装着し、そのアダプタ装置を介して水栓をカウンターに取り付けるといったことが考えられている。
【０００５】
図２２はそのアダプタ装置を用いた従来公知の水栓取付構造の例を示したものである（下記特許文献１に開示）。
同図において２１０はアダプタ装置であって、アダプタ本体２１２と一対のホルダ２１４及びホルダ２１４に対応した数（２本）の雄ねじ部材２１６とを含んで構成されている。
【０００６】
この取付構造の場合、一対のホルダ２１４のそれぞれの雌ねじ孔２１８に対して、対応する雄ねじ部材２１６をねじ込んでおき、そして一対のホルダ２１４を互いに内向き、つまり取付穴２０６の中心側に回転させた状態としておいて、これらホルダ２１４をカウンター２０４の上面側から水栓の取付穴２０６内部に挿入する。
【０００７】
そして一対のホルダ２１４をカウンター２０４の裏側において互いに外向きに回転させて、それら一対のホルダ２１４のそれぞれをカウンター２０４の裏面に当接させ、その状態で一対の雄ねじ部材２１６をカウンター２０４の上面側から締め込むことでアダプタ装置２１０を、そのアダプタ本体２１２とホルダ２１４とがカウンター２０４を表裏両面から挾み込む状態にカウンター２０４に装着する。
【０００８】
その後水栓２００の下端部をアダプタ本体２１２に外嵌した上、止具にて水栓２００をアダプタ本体２１２に止め付けることで、水栓２００をカウンター２０４に取付・固定する。
【０００９】
この水栓取付構造の場合、カウンター２０４の上面側からアダプタ装置２１０及び水栓２００をカウンター２０４の取付面に対して取付・固定することができる利点を有する。
【００１０】
しかしながらこの水栓取付構造の場合、一対のホルダ２１４のそれぞれが１本の雄ねじ部材２１６にてアダプタ本体２１２にねじ結合されているため、水栓２００、一般にはその吐水管２２０に対して許容範囲を超えて回転方向の力が加えられたとき、各ホルダ２１４のそれぞれがアダプタ本体２１２に対して対応する１本の雄ねじ部材２１６の軸周りに相対回転，相対変位してしまい、水栓２００が回転方向にぐらつきを生じるなど、カウンター２０４に対する水栓２００の取付穴２０６周りの回転方向の固定強度が弱いといった問題があった。
また場合によってホルダ２１４の回転によってホルダ２１４がカウンター２０４の裏面から取付穴２０６側に外れてしまう恐れがあった。
【００１１】
以上水栓をカウンター等取付基体に取り付ける場合を例として説明したが、同様の問題は水栓以外の物品を所定の取付基体に取り付けるに際して共通して生じ得る問題である。
【００１２】
【特許文献１】特開昭６３−３１２４３５号公報
【発明の開示】
【発明が解決しようとする課題】
【００１３】
本発明は以上のような事情を背景とし、アダプタ装置を用いて水栓等物品をカウンター等取付基体に取り付けるようになした物品の取付構造において、取付基体を表裏から挟み込むアダプタ本体とホルダーとが、それらをねじ締結する雄ねじ部材周りに相対変位することによって物品が回転方向にがたつきを生じるのを防止し得、またアダプタ装置の取付作業性が良好な物品の取付構造を提供することを目的としてなされたものである。
【課題を解決するための手段】
【００１４】
而して請求項１の取付構造は、（イ）物品を取り付けるべき取付基体の取付面上に配置されるアダプタ本体と、（ロ）該取付基体の取付穴に該取付面側から挿通された上、該取付基体の裏面に重なるように配置され、該アダプタ本体と協働して該取付基体を表裏両側から挾み込むホルダと、（ハ）該取付穴を挿通して該アダプタ本体とホルダとをねじ締結し、それらアダプタ本体及びホルダによる該取付基体の締付力を与える雄ねじ部材と、を含むアダプタ装置を該取付基体に装着し、該アダプタ本体に対して前記物品を連結固定することで前記取付面上に該物品を取り付けるようになした物品の取付構造において、単一の前記ホルダを少なくとも２本の前記雄ねじ部材にて前記アダプタ本体とねじ締結するように成すとともに、１本の該雄ねじ部材と該ホルダに設けてある雌ねじ孔とを螺合した状態で該雄ねじ部材に加えられる回転操作力を該ホルダに伝えて強制的に該ホルダを、該ホルダに設けてある他の雌ねじ孔が他の該雄ねじ部材に対して軸方向に対向した螺合位置まで該雄ねじ部材と一体回転させる共回り手段、及び該一体回転の際に該ホルダの前記他の雌ねじ孔を前記他の雄ねじ部材に対向する位置に位置決めする位置決手段を設けたことを特徴とする。
【００１５】
請求項２の取付構造は、請求項１において、前記物品がカウンター等の前記取付基体に設置される水栓であることを特徴とする。
【００１６】
請求項３の取付構造は、請求項１，２の何れかにおいて、前記ホルダを、前記取付穴の周縁に沿って互いに離隔した少なくとも２個所で前記雄ねじ部材により前記アダプタ本体とねじ締結するようになしたことを特徴とする。
【００１７】
請求項４の取付構造は、請求項１〜３の何れかにおいて、前記ホルダが前記取付穴の周縁に沿って延びる、該取付穴に対応した湾曲形状をなしていることを特徴とする。
【００１８】
請求項５の取付構造は、請求項４において、前記ホルダの周方向長が前記取付穴の半周分以上の長さとなしてあることを特徴とする。
【００１９】
請求項６の取付構造は、請求項４，５の何れかにおいて、前記ホルダを、周方向の中央位置より一方の周端側と他方の周端側とでそれぞれ前記雄ねじ部材により前記アダプタ本体とねじ締結するようになしたことを特徴とする。
【００２０】
請求項７の取付構造は、請求項６において、前記ホルダには周方向の中央位置より一方の周端側の個所と他方の周端側の個所とに前記取付穴側に突出する突出部を設けて、それら突出部を前記雄ねじ部材により前記アダプタ本体にねじ締結するようになしたことを特徴とする。
【発明の作用・効果】
【００２１】
上記のように請求項１の取付構造は、単一のホルダに対して少なくとも２本の雄ねじ部材を螺合し、以てアダプタ本体とねじ締結するようにしたもので、この取付構造の場合、アダプタ本体と単一のホルダとが複数の雄ねじ部材にてねじ締結されることで、物品取付状態において物品に対し回転方向の力が加えられても、アダプタ本体とホルダとが回転方向に相対変位せず、回転方向の固定強度が強くなる。
従って物品がカウンター等取付基体の取付面上で周方向にぐらつく問題を解消でき、或いはホルダが取付基体裏面から取付穴側に外れるといった問題を解消することができる。
またこの請求項１の取付構造によれば、ホルダの自由端部がアダプタ本体に対して半径方向に突き出した状態としておいて、その状態を保ちつつホルダを自由端部側から取付穴内に挿入することが可能となって、その挿入作業が容易となるとともに、取付基体の表側からの操作により、ホルダを取付基体の裏側において容易に適正角度位置まで持ち来すことができる。
従ってアダプタ装置の取付基体への取付作業を容易なものとなすことができる。
而してその一体回転の際にホルダの他の雌ねじ孔を他の雄ねじ部材に対向する位置に位置決めする位置決手段を設けておくことができる。
【００２２】
本発明は特に水栓をカウンター等の取付基体に取り付けるに際して好適に適用することができる（請求項２）。
【００２３】
本発明では、取付穴の周縁に沿って互いに離隔した少なくとも２個所で雄ねじ部材によりホルダとアダプタ本体とをねじ締結するようになすことができる（請求項３）。
【００２４】
請求項４の取付構造は、上記ホルダ形状を取付穴の周縁に沿って延びる、取付穴に対応した湾曲形状となしたもので、この取付構造によれば、ホルダを広範囲に亘って、即ち周方向に長い距離に亘って取付基体の裏面側に当接させることができ、従ってホルダとアダプタとによる取付基体の挾持力を十分大きくすることができる。
従ってこの取付構造によれば、アダプタ装置に対して１つのホルダだけを設けておくことが可能となり、部品点数を少なくすることができる。
【００２５】
またホルダが周方向に長いものであるため、アダプタ本体とホルダとを周方向に大きく離れた部位において互いに雄ねじ部材にて締結することが可能となり、アダプタ本体とホルダとの回転方向の耐変形抵抗力を効果的に強くすることができ、回転方向の強度を強いものとなすことができる。
【００２６】
この請求項４の取付構造では、ホルダが取付穴に対応した湾曲形状をなしていることから、ホルダの長さを長くしておいた場合であっても、その取付穴に対して例えば水栓を取り付けるに当って、水栓に給水を行うための給水配管等を通す際、そのホルダが邪魔とならず、取付穴内部において配管用等に広いスペースを確保できる利点が得られる。
ここでホルダはその周方向長を取付穴の半周分以上の長さとなしておくことができる（請求項５）。
【００２７】
更にまたこれらの場合において一方の周端側と他方の周端側とでホルダを雄ねじ部材によりアダプタ本体とねじ締結するようになすことができる（請求項６）。
【００２８】
更にまたこの場合において、一方の周端側の個所と他方の周端側の個所とに取付穴側に突出する突出部を設けて、それら突出部を雄ねじ部材にてアダプタ本体にねじ締結するようになすことができる（請求項７）。
【発明を実施するための最良の形態】
【００２９】
次に本発明の実施形態を図面に基づいて詳しく説明する。
図１は水栓をカウンター（取付基体）に取り付けた状態で示している。この図において１０は物品としての水栓、１２はカウンターである。
水栓１０は、カウンター１２から直立する水栓本体１４と、水栓本体１４から延び出し、先端の吐水口１６から吐水を行う吐水管１８及び水栓本体１４の上部に回転操作可能に設けられた操作レバー２０とを有している。
【００３０】
吐水管１８は、水栓本体１４に回転可能に備えられた円筒部２２にその基端部が固定されており、その円筒部２２と一体に吐水管１８が左右方向に回転可能とされている。
尚、水栓本体１４には吐水管１８の左右方向の回動端を規定するストッパ部（図示省略）が設けられており、吐水管１８はそれらストッパ部にて規定される角度範囲内においてのみ左右方向に回転可能とされている。
【００３１】
水栓１０は、カウンター１２に設けた水栓取付穴（取付穴）２４においてカウンター１２に取り付けられている。
２６は、水栓１０に対して水，湯を供給するためのサプライ管であって、水栓取付穴２４を挿通して水栓本体１４にその上端部が接続されている。
【００３２】
図２に示しているように、水栓１０はアダプタ装置２８によってカウンター１２に取り付けられている。
【００３３】
図４，図５，図６，図７，図８はそのアダプタ装置２８の構成を具体的に示している。
このアダプタ装置２８は、図４に示しているようにアダプタ本体３０とホルダ３２及び一対の雄ねじ部材３４，３６を有している。
【００３４】
アダプタ本体３０は、カウンター１２の上面（取付面）に着座してカウンター１２を上面側から挟み込む部材であって、全体として円筒形状をなしており、カウンター１２上面への着座面の側に、全周に亘って外向きのフランジ部３８が形成されている。そしてこのフランジ部３８の下面において、リング状パッキン４０を介してカウンター１２の上面に液密に着座当接させられている。
尚、アダプタ本体３０の下面には環状突起４２が下向きに形成されている。リング状パッキン４０はこの環状突起４２に対して嵌合状態にアダプタ本体３０の下面に装着されている。
【００３５】
一方アダプタ本体３０の外周面には、上下２段に環状のシール溝４４が形成されており、そこにリング状パッキン４６が装着されている。アダプタ本体３０はこれらリング状パッキン４６を介して、水栓本体１４における下端部の後述の円筒部４８（図２）の内周面に液密に嵌合接触されている。
【００３６】
アダプタ本体３０の内周面には、内向きに突出する半円形状のボス部５０（本例では２個所）が設けられている（図８参照）。これらボス部５０には、図６，図８に示しているようにこれを上下方向に貫通する挿通孔５２が形成されており、そこに前記雄ねじ部材３４，３６が上側から下向きに挿通されている。
【００３７】
アダプタ本体３０の内周面には、また、周方向に所定間隔を隔てた４個所において、半円形状の突出部５４が形成されている（図８参照）。そしてアダプタ本体３０の下部には、それら突出部５４をフランジ部３８の下面よりも下向きに突出させて成るガイド突起５６が形成されている。
これらガイド突起５６は、アダプタ本体３０を上記水栓取付穴２４においてカウンター１２に取り付ける際に、水栓取付穴２４と所定のクリアランスをもって嵌合し、アダプタ本体３０を位置決めガイドするものである。
【００３８】
これらガイド突起５６によって、アダプタ本体３０を簡単に適正位置にセットすることができる。即ち、アダプタ本体３０の下面を正しく水栓取付穴２４周りのカウンター１２上面上に着座させることができ、アダプタ本体３０が水栓取付穴２４に対して偏った位置にセットされるのを防止できる。これによりアダプタ本体３０とカウンター１２の上面との間に広い接触面積、つまりシール面積を確保することができる。
【００３９】
上記ホルダ３２は、図２及び図４に示しているようにカウンター１２の裏面側からこれを挟み込む部材であって、その上面には周方向全長に亘って複数の係合歯５８が形成されており、これら係合歯５８がカウンター１２の裏面に強く押圧されるようになっている。
ホルダ３２は全体として湾曲形状、詳しくは略円弧形状をなしており、その周方向長は水栓取付穴２４の半周分以上の長さとされている。
【００４０】
このホルダ３２には、その周方向両端部近傍位置において内方に突出する突出部６０，６２が設けられている。これら突出部６０，６２には、図６に示しているようにこれを上下に貫通する雌ねじ孔６４が形成されており、それら雌ねじ孔６４に対して上記一対の雄ねじ部材３４，３６のそれぞれがねじ込まれるようになっている。
【００４１】
尚、一方の突出部６２は他方の突出部６０よりも下側位置に形成されており、その上面には位置決手段としての略半円形状の弾性クリップ（当接部）６６が設けられている。この弾性クリップ６６は、その中心を丁度上記雌ねじ孔６４の中心と一致する向き及び位置に形成されている。
【００４２】
上記一対の雄ねじ部材３４，３６のうちの一方の雄ねじ部材３４は他方の雄ねじ部材３６よりもその長さが一定寸法長くされており、雄ねじ部材３６がホルダ３２における雌ねじ孔６４に達しない状態において、一方の雄ねじ部材３４が対応する雌ねじ孔６４に螺合され且つその先端がホルダ３２より下向きに突出するようになっている。而してそのホルダ３２から下向きの突出した雄ねじ部材３４の先端部にはナット６８（図６，図１１）が螺合されている。
【００４３】
このナット６８は、ホルダ３２の脱落防止のためのものであって、同時にカウンター１２への装着前の状態においてホルダ３２を雄ねじ部材３４と共回りさせるためのロックナット（抵抗体）としての働きも兼ねている。
【００４４】
次に本実施形態のアダプタ装置２８のカウンター１２への取付手順を図９ないし図１１に基づいて説明する。
先ず図９（Ｉ）に示しているようにアダプタ本体３０の挿通孔５２に対して長い方の雄ねじ部材３４を挿通し、これをホルダ３２の一方の雌ねじ孔６４に且つその下端部がホルダ３２より下向きに突出する状態までねじ込んでおく。そしてその下向きに突出した下端部に対してナット６８を螺合し、これを一杯まで締め付けておく。このときナット６８はロックナットとして働き、ホルダ３２が雄ねじ部材３４と一体回転、つまり共回りする状態となる。
【００４５】
さて図９（Ｉ）に示しているようにホルダ３２を雄ねじ部材３４を中心として右方向に回転させた状態としておき、即ちホルダ３２の自由端部がアダプタ本体３０に対して半径方向に突き出した状態としておいて、図９（II）に示しているようにアダプタ装置２８全体を傾け、その状態でホルダ３２を自由端部側から水栓取付穴２４の内部に挿入する。
このようにすることによって、ホルダ３２を容易に水栓取付穴２４内に挿入し且つこれをカウンター１２の裏側に位置させることができる。
【００４６】
続いて図１０（III）に示しているように雄ねじ部材３４を回転操作してホルダ３２をカウンター１２の裏側において一体に回転させる。つまり共回りさせる。
而してホルダ３２が適正位置まで回転移動すると、そこで弾性クリップ６６が、予めアダプタ本体３０の他方の挿通孔５２に挿通してある短い方の雄ねじ部材３６に弾性嵌合し、当接した状態となる。ここにおいて突出部６２に形成した雌ねじ孔６４が、正しく短い方の雄ねじ部材３６に丁度対向した状態となる。
【００４７】
そこで図１１（IV）に示しているように雄ねじ部材３６を対向状態の雌ねじ孔６４にねじ込むとともに、一対の雄ねじ部材３４及び３６を更にねじ込んで行くことで、ホルダ３２を図１１（IV）の位置から上方に引き寄せ、カウンター１２の裏面、詳しくは水栓取付穴２４の周辺に沿った裏面に当接させる（図７）。
【００４８】
更に引き続く雄ねじ部材３４，３６のねじ込み操作によって、アダプタ本体３０とホルダ３２とがカウンター１２を表裏両側から強く挟み込む状態となり、ここにおいてアダプタ装置２８がカウンター１２に装着された状態となる。
【００４９】
尚このとき、アダプタ本体３０のガイド突起５６が水栓取付穴２４の内周面に所定のクリアランスで嵌合状態となり、またアダプタ本体３０のフランジ部３８の下面がリング状パッキン４０を介してカウンター１２の上面に水密に所定の押圧力をもって着座した状態となる。図７はこのときの状態を示している。
尚、図７に示しているように雄ねじ部材３４のねじ込みによって上記ナット６８はロックナットとしての機能が開放され、その後はホルダー３２の落下防止部材としてのみ作用する。
【００５０】
さてこのようにしてアダプタ装置２８をカウンター１２に装着したら、次に図３に示しているように水栓本体１４の下端部の円筒部４８をアダプタ本体３０に対して外嵌し、止ビス７０を、水栓本体１４に回転可能に装着したカバーリング７２の開口７４及び円筒部４８の開口７６を通じてアダプタ本体３０の雌ねじ孔７８にねじ込む。ここにおいて水栓本体１４とアダプタ本体３０とが回転不能に互いに連結固定された状態となる。
【００５１】
そこで次にカバーリング７２を回転操作して、水栓本体１４における円筒部４８の開口７６及び止ビス７０を隠蔽するとともに、そのカバーリング７２の開口７４に対して化粧キャップ８０を嵌め込んで開口７４を閉鎖する（図２参照）。
【００５２】
本実施形態の水栓取付構造の場合、単一のホルダ３２に対して２本の雄ねじ部材３４，３６を螺合してこれをアダプタ本体３０とねじ締結していることから、水栓１０の取付状態において水栓１０に対し回転方向の力が加えられてもホルダ３２がアダプタ本体３０に対して回転方向に相対変位せず、回転方向において強い固定強度が得られる。従って水栓１０がカウンター１２上で同方向にぐらついたり、ホルダ３２が水栓取付穴２４側に外れたりする不具合を解消することができる。
【００５３】
また上記ホルダ３２の形状を、水栓取付穴２４の周縁に沿って延びる略円弧形状となし且つ周方向長を大きくしているため、ホルダ３２を広範囲に亘って、即ち周方向に長い距離に亘ってカウンター１２の裏面に当接させることができ、従ってホルダ３２とアダプタ本体３０とによるカウンター１２の挾持力を十分大きくすることができる。
従ってこの取付構造によれば、アダプタ装置２８に対して１つのホルダ３２だけを設けておくことが可能であり、部品点数を少なくすることができる。
【００５４】
またホルダ３２が周方向に長いものとされているため、アダプタ本体３０とホルダ３２とを周方向に大きく離れた部位において互いに雄ねじ部材３４，３６にて締結でき、アダプタ本体３０とホルダ３２との回転方向の耐変形抵抗力、ひいては回転方向の強度を効果的に強くすることができる。
【００５５】
更にホルダ３２が水栓取付穴２４に対応した円弧形状をなしていることから、その水栓取付穴２４にサプライ管２６等を通す際にそのホルダ３２が邪魔とならず、水栓取付穴２４内部に広いスペースを確保できる。
【００５６】
また本実施形態では、雄ねじ部材３６と雌ねじ孔６４とを対向させる状態にホルダ３２を位置決めする位置決手段としての弾性クリップ６６を設けていることから、ホルダ３２を回転操作して雄ねじ部材３６を雌ねじ孔６４にねじ込み操作するときに簡単にこれを行うことができる。
加えて、その際弾性クリップ６６が雄ねじ部材３６に弾性的に嵌まり合って位置ずれ防止するため、ホルダ３２を回転操作して所定位置に位置決めし、且つその状態で雄ねじ部材３６を雌ねじ孔６４にねじ込み操作するときに一旦位置決めしたホルダ３２が位置ずれするといったことがなく、位置決め状態を確実に保ちながら雄ねじ部材３６を雌ねじ孔６４にねじ込み操作することができる。
【００５７】
加えて本実施形態の取付構造の場合、図９（Ｉ）に示す状態でホルダ３２を水栓取付穴２４に挿通してこれを回転操作する際、ナット６８によるロックナットとしての作用によって雄ねじ部材３４を回転操作するだけでホルダ３２を一体に回転操作することができ、ホルダ３２をカウンター１２の裏側において容易にこれを適正角度位置まで持ち来すことができる。
尚、ホルダ３２を雄ねじ部材３４と共回りさせるための手段として、雄ねじ部材３４又は雌ねじ孔６４にコーティング材或いはグリース等を塗ってそれらの間の摩擦力を高める方法を用いることができる。
【００５８】
更に本実施形態ではアダプタ本体３０のカウンター１２への着座面側に周方向全長に亘ってフランジ部３８を設けているため、アダプタ本体３０とカウンター１２上面との間で広い接触面積、即ちシール面積を確保することができる。
【００５９】
次に図１２は本発明の他の実施形態を示したもので、この例はホルダ３２の側に円弧形状のストッパ部９０を雌ねじ孔６４の周縁部において立ち上げ、このストッパ部９０を雄ねじ部材３６に当接させることによって、ホルダ３２の回転方向の位置決めをなすようにしたものである。
この場合においても、上記と同様に雄ねじ部材３６を磁性体で構成し、またストッパ部９０をマグネットにて構成し或いはマグネットを装着しておくことで、雄ねじ部材３６とマグネットとの磁着力により、雄ねじ部材３６とストッパ部９０とのがたつきをなくすことができる。
【００６０】
図１３は本発明の更に他の実施形態を示したもので、この例はアダプタ本体３０から長いプレート状のストッパ部８２を垂下させ、このストッパ部８２を、ホルダ３２の内面に当接させることによって、雄ねじ部材３６とホルダ３２の雌ねじ孔６４とが正しく対向する状態に、ホルダ３２を位置決めするようになした例である。
【００６１】
図１４はホルダを他の形態で構成した例を示したもので、この例は矩形板状、即ち直状且つ長手形状をなし且つその長手方向の長さが水栓取付穴２４の直径よりも長いホルダ９２とした。
【００６２】
この例の場合、カウンター１２の裏面側において水栓取付穴２４を径方向に横断する状態にホルダ９２を配置するとともに、カウンター１２上面側のアダプタ本体３０の挿通孔５２に挿通した一対の雄ねじ部材３４，３６を、ホルダ９２に形成した一対の雌ねじ孔６４にねじ込むことで、アダプタ本体３０とホルダ９２、厳密にはホルダ９２の長手方向両端部とでカウンター１２を表裏両面側から挟み込む状態に、アダプタ装置２８をカウンター１２に装着する。
【００６３】
この例においても、アダプタ本体３０とホルダ９２とが一対の雄ねじ部材３４，３６によってねじ締結されているため、回転方向に対して強い固定強度が得られる。
【００６４】
図１５は更に他の例を示したものである。
この例では、アダプタ本体３０のボス部５０に形成された挿通孔９４が水平方向の長穴状をなしており、その挿通孔９４に挿通された一対の雄ねじ部材３４，３６が挿通孔９４内において水平方向に移動可能とされている。
【００６５】
またこの例におけるホルダ９６は、全体として図１４と同様に直状且つ長手形状をなしている。但しこのホルダ９６は、中間部９８と、中間部９８とは別体の長手方向の両端部１００，１００とを備えている。
【００６６】
両端部１００，１００は、中間部９８に対して長手方向にスライド移動可能とされている。即ち、この例ではホルダ９６が長手方向に伸縮可能とされている。
而してこの例のホルダ９６の場合、長手方向の最大寸法、つまり両端部１００，１００が互いに離間するようにスライド移動した状態の寸法では水栓取付穴２４の直径よりも長く、また長手方向の最小寸法、つまり両端部１００，１００が互いに接近するようにスライド移動した状態の寸法では水栓取付穴２４の直径よりも短くなるように伸縮量が選ばれている。
【００６７】
また両端部１００，１００の下面には、各端部１００，１００における長手方向中間位置から先端側に向かうにつれて上向きに傾斜する傾斜形状のガイド面１０２がそれぞれ形成されている。
【００６８】
次にこの例におけるアダプタ装置２８の、カウンター１２への取付手順の一例を図１６ないし図１７に基づいて説明する。
先ず、図１６（Ｉ）に示すようにホルダ９６を最大寸法まで伸長させた状態としておいて、これを水栓取付穴２４に挿通させて行く。
【００６９】
このとき、(II)に示すようにガイド面１０２が水栓取付穴２４の上端周縁部に当接する。そこでこのまま下向きの押込力を加えると、(III)に示すように傾斜形状のガイド面１０２の案内作用でホルダ９６が水栓取付穴２４に挿通可能な状態まで自動的に収縮変形する。即ち両端部１００，１００が互いに接近する方向にスライド移動する。
また両端部１００，１００のスライド移動に伴って、一対の雄ねじ部材３４，３６が長穴状の挿通孔９４内において互いに接近する方向に移動する。
【００７０】
そしてホルダ９６を収縮状態で水栓取付穴２４に挿通させ、図１７(IV)に示すように挿通完了後においてホルダ９６を伸長させる。
この伸長の際には、カウンター１２の表面側から雄ねじ部材３４，３６に力を加えてホルダ９６を押し広げても良いし、或いは予めホルダ９６の内部にリターンスプリングを内蔵させておいて、そのリターンスプリングの弾発力により、両端部１００，１００を押し広げるように、即ちホルダ９６を伸長させるようにしても良い。
【００７１】
その後（Ｖ）に示すように雄ねじ部材３４，３６を締め付けてアダプタ装置２８をカウンター１２に装着する。
【００７２】
尚、この例におけるアダプタ装置２８のカウンター１２への取付けは、図１８に示すような手順に従って行なうこともできる。
即ち、（Ｉ）に示すようにホルダ９６を予め収縮させておき、その状態で(II)に示すように水栓取付穴２４にこれを挿通させ、挿通後において雄ねじ部材３４，３６を押し広げてホルダ９６を伸長させ、その後雄ねじ部材３４，３６を締め付けることでアダプタ装置２８の装着を行うこともできる。
【００７３】
図１９は更に他の例を示したものである。
この例ではホルダ１０４が樹脂製とされており、全体として湾曲形状、詳しくは略円弧形状とされている。
尚、本例においてもホルダ１０４はその周方向長が水栓取付穴２４の半周以上の長さとされている。
【００７４】
このホルダ１０４には、周方向中間箇所に切欠部１０６が形成されており、この切欠部１０６の形成によって薄肉部１０８が形成されている。そしてその薄肉部１０８の部分で、周方向両端部を接近させる閉方向に弾性変形可能且つ弾性変形力を取り除いたときに自身の復元力で元の形状に復帰可能とされている。
この例ではホルダ１０４を閉方向に弾性変形させることによって、これを第一の実施例のように傾けることなくそのまま水栓取付穴２４に対して挿通させることができる。
【００７５】
而してホルダ１０４を弾性変形させる際、その両端部を手でつまんで各端部を互いに接近させる方向、つまり閉方向に弾性変形させることもできるし、或いは一対の雄ねじ部材３４，３６の軸中間部に内向きの力を加えることで閉方向に弾性変形させることもでき、或いはまた挿通孔９４から上側に露出した部分において一対の雄ねじ部材３４，３６に対し、内向きの力を加えてホルダ１０４を弾性変形させることもできる。或いはまたホルダ１０４の下面の環状且つ傾斜状のガイド面１０２による案内作用に基づき弾性変形させることもできる。
【００７６】
一方において水栓取付穴を挿通させた後に加えていた弾性変形力を除くと、自動的にホルダ１０４が広がってカウンター１２の裏面に重なる状態となる。
この例においてはホルダ１０４を上記閉方向に弾性変形させた上で水栓取付穴２４に挿通させることができる。
【００７７】
図２０は本発明の更に他の実施形態を示したもので、具体的には本発明を水栓以外の物品に適用した例を示している。
同図において１１０は物品としての手摺りであって、この手摺り１１０の端部は円筒部１１１とされている。
そして手摺り１１０は、取付基体としての壁１１２に設けた取付穴１１６において、アダプタ装置２８を用いて壁１１２に取り付けられる。
【００７８】
具体的には、壁１１２に対してアダプタ装置２８を装着し、そのアダプタ装置２８のアダプタ本体３０に対して円筒部１１１を嵌合し、更に例えばアダプタ本体３０の雌ねじ孔１２２に円筒部１１１の開口１２０を通じて止めビス１１８をねじ込むことで手摺り１１０を壁１１２に取付固定することができる。
【００７９】
尚、アダプタ装置２８としては上記例示した形態の何れのものを適用しても良い。但し図２０の例では図１５の形態のアダプタ装置２８を用いて示してある。
【００８０】
以上本発明の実施形態を詳述したがこれはあくまで一例示であり、本発明は例えば水栓，手摺り以外の物品の取付構造にも適用できるなど、その主旨を逸脱しない範囲において種々変更を加えた形態で構成可能である。
【図面の簡単な説明】
【００８１】
【図１】本発明の一実施形態である水栓取付構造を水栓をカウンターに取り付けた状態で示す図である。
【図２】図１における水栓取付構造の要部を拡大して示す図である。
【図３】図２における要部を水栓とアダプタ装置とに分解して示す図である。
【図４】図３におけるアダプタ装置の構成を示す図である。
【図５】同アダプタ装置におけるアダプタ本体を下面側から示す斜視図である。
【図６】同アダプタ装置をアダプタ本体とホルダ及び雄ねじ部材とに分解して示す図である。
【図７】同アダプタ装置をカウンターに取り付けた状態で示す図である。
【図８】同アダプタ装置におけるアダプタ本体の平面図である。
【図９】同アダプタ装置のカウンターへの取付手順の一部を示す図である。
【図１０】同アダプタ装置のカウンターへの取付手順の図９に続く工程を示す図である。
【図１１】同アダプタ装置のカウンターへの取付手順の図１０に続く工程の図である。
【図１２】本発明の他の実施形態の要部を示す図である。
【図１３】本発明の更に他の実施形態の要部を示す図である。
【図１４】本発明の更に他の実施形態を示す図である。
【図１５】本発明の更に他の実施形態を示す図である。
【図１６】図１５の実施形態におけるアダプタ装置のカウンターへの取付手順の一部を示す図である。
【図１７】図１６の取付手順に続く工程の図である。
【図１８】図１５の実施形態におけるアダプタ装置の、図１６とは別の取付手順の一部を示す図である。
【図１９】本発明の更に他の実施形態を示す図である。
【図２０】本発明の更に他の実施形態を示す図である。
【図２１】従来の水栓取付構造の一例を示す図である。
【図２２】アダプタ装置を用いた水栓取付構造の従来の例を示す図である。
【符号の説明】
【００８２】
１０  水栓（物品）
１２  カウンター（取付基体）
２４  水栓取付穴（取付穴）
２８，１１４  アダプタ装置
３０  アダプタ本体
３２，９２，９６，１０４  ホルダ
３４，３６  雄ねじ部材
６０，６２  突出部
【図１】
2006132318.tif 000003
【図２】
2006132318.tif 000004
【図３】
2006132318.tif 000005
【図４】
2006132318.tif 000006
【図５】
2006132318.tif 000007
【図６】
2006132318.tif 000008
【図７】
2006132318.tif 000009
【図８】
2006132318.tif 000010
【図９】
2006132318.tif 000011
【図１０】
2006132318.tif 000012
【図１１】
2006132318.tif 000013
【図１２】
2006132318.tif 000014
【図１３】
2006132318.tif 000015
【図１４】
2006132318.tif 000016
【図１５】
2006132318.tif 000017
【図１６】
2006132318.tif 000018
【図１７】
2006132318.tif 000019
【図１８】
2006132318.tif 000020
【図１９】
2006132318.tif 000021
【図２０】
2006132318.tif 000022
【図２１】
2006132318.tif 000023
【図２２】
2006132318.tif 000024